【手続補正書】
【提出日】平成19年5月21日(2007.5.21)
【手続補正１】
【補正対象書類名】特許請求の範囲
【補正対象項目名】全文
【補正方法】変更
【補正の内容】
【特許請求の範囲】
【請求項１】
前記アイリスの位置を検出する位置検出手段と、
前記アイリスの位置を移動させる移動手段と、
予め定められた初期位置を前記アイリスの第１制御位置目標として生成する第１位置目標生成手段と、
撮像信号から前記アイリスの第２制御位置目標を生成する第２位置目標生成手段と、
前記位置検出手段により検出された位置と前記第１制御位置目標とを比較し、その比較結果に応じた差分信号を第１差分信号として発生すると共に、前記位置検出手段により検出された位置と前記第２制御位置目標とを比較し、その比較結果に応じた差分信号を第２差分信号として発生する差分信号発生手段と、
前記差分信号発生手段で発生された第１差分信号及び第２差分信号が０となるように前記移動手段を制御する制御手段とを備え、
非撮像動作状態から撮像動作状態へ遷移したときは、前記制御手段は前記移動手段を制御して、前記第１差分信号が０となった後、前記差分信号発生手段により発生された前記第２差分信号が０となるように前記移動手段を制御することを特徴とする撮像装置。
【請求項２】
前記第１制御位置目標が前記アイリスの移動範囲における中間位置であることを特徴とする請求項１記載の撮像装置。
【請求項３】
さらに計時手段を備え、前記計時手段による計時結果に基づいて前記第１制御位置目標を変更することを特徴とする請求項１記載の撮像装置。
【請求項４】
前記第１制御位置目標が前回撮像動作状態から非撮像動作状態へ遷移する前の最終位置であることを特徴とする請求項１記載の撮像装置。
【請求項５】
前記第１制御位置目標が非撮像動作状態へ遷移してから撮像動作状態に遷移するまでの経過時間に応じて変更されることを特徴とする請求項１記載の撮像装置。
【請求項６】
さらに測光手段を備え、前記第１制御位置目標が前記測光手段による測光結果から決定した位置であることを特徴とする請求項１記載の撮像装置。
【請求項７】
前記差分信号発生手段は第１フィルタ手段及び第２フィルタ手段を備え、前記第１差分信号は前記第１フィルタ手段によりフィルタ演算され、前記第２差分信号は前記第２フィルタ手段によりフィルタ演算されることを特徴とする請求項１乃至６のいずれか１項記載の撮像装置。
【請求項８】
さらに表示装置を備え、前記表示装置による表示開始前に前記第１差分信号は前記第１フィルタ手段によりフィルタ演算され、前記表示装置による表示開始後に前記第２差分信号は前記第２フィルタ手段によりフィルタ演算されることを特徴とする請求項７記載の撮像装置。
【請求項９】
アイリスと、前記アイリスの位置を移動させる移動手段とを備える撮像装置の制御方法において、
前記アイリスの位置を検出する位置検出工程と、
予め定められた初期位置を前記アイリスの第１制御位置目標として生成する第１位置目標生成工程と、
撮像信号から前記アイリスの第２制御位置目標を生成する第２位置目標生成工程と、
前記位置検出工程で検出された位置と前記第１制御位置目標とを比較し、その比較結果に応じた差分信号を第１差分信号として発生すると共に、前記位置検出工程で検出された位置と前記第２制御位置目標とを比較し、その比較結果に応じた差分信号を第２差分信号として発生する差分信号発生工程と、
前記差分信号発生工程で発生された第１差分信号及び第２差分信号が０となるように前記移動手段を制御する制御工程とを備え、
非撮像動作状態から撮像動作状態へ遷移したときは、前記制御工程は前記移動手段を制御して、前記第１差分信号が０となった後、前記差分信号発生工程で発生された前記第２差分信号が０となるように前記移動手段を制御することを特徴とする撮像装置の制御方法。
【請求項１０】
アイリスと、前記アイリスの位置を移動させる移動手段とを備える撮像装置で実行される制御用プログラムにおいて、
前記アイリスの位置を検出する位置検出ステップと、
予め定められた初期位置を前記アイリスの第１制御位置目標として生成する第１位置目標生成ステップと、
撮像信号から前記アイリスの第２制御位置目標を生成する第２位置目標生成ステップと、
前記位置検出ステップで検出された位置と前記第１制御位置目標とを比較し、その比較結果に応じた差分信号を第１差分信号として発生すると共に、前記位置検出ステップで検出された位置と前記第２制御位置目標とを比較し、その比較結果に応じた差分信号を第２差分信号として発生する差分信号発生ステップと、
前記差分信号発生ステップで発生された第１差分信号及び第２差分信号が０となるように前記移動手段を制御する制御ステップとを前記撮像装置に実行させ、
非撮像動作状態から撮像動作状態へ遷移したときは、前記制御ステップでは前記移動手段を制御して、前記第１差分信号が０となった後、前記差分信号発生ステップで発生された前記第２差分信号が０となるように前記移動手段を制御することを特徴とする撮像装置
の制御用プログラム。
【手続補正２】
【補正対象書類名】明細書
【補正対象項目名】０００７
【補正方法】変更
【補正の内容】
【０００７】
このようにアイリスの開放状態から露出制御を開始し、徐々に適正露出に引き込んでいくため、小絞り側に適正露出が設定されているほど適正露出に収束するのに時間がかかるという問題があった。
【手続補正３】
【補正対象書類名】明細書
【補正対象項目名】０００９
【補正方法】変更
【補正の内容】
【０００９】
上記目的を達成するため、請求項１の撮像装置は、前記アイリスの位置を検出する位置検出手段と、前記アイリスの位置を移動させる移動手段と、予め定められた初期位置を前記アイリスの第１制御位置目標として生成する第１位置目標生成手段と、撮像信号から前記アイリスの第２制御位置目標を生成する第２位置目標生成手段と、前記位置検出手段により検出された位置と前記第１制御位置目標とを比較し、その比較結果に応じた差分信号を第１差分信号として発生すると共に、前記位置検出手段により検出された位置と前記第２制御位置目標とを比較し、その比較結果に応じた差分信号を第２差分信号として発生する差分信号発生手段と、前記差分信号発生手段で発生された第１差分信号及び第２差分信号が０となるように前記移動手段を制御する制御手段とを備え、非撮像動作状態から撮像動作状態へ遷移したときは、前記制御手段は前記移動手段を制御して、前記第１差分信号が０となった後、前記差分信号発生手段により発生された前記第２差分信号が０となるように前記移動手段を制御することを特徴とする。
【手続補正４】
【補正対象書類名】明細書
【補正対象項目名】００１７
【補正方法】変更
【補正の内容】
【００１７】
請求項９の撮像装置の制御方法は、アイリスと、前記アイリスの位置を移動させる移動手段とを備える撮像装置の制御方法において、前記アイリスの位置を検出する位置検出工程と、予め定められた初期位置を前記アイリスの第１制御位置目標として生成する第１位置目標生成工程と、撮像信号から前記アイリスの第２制御位置目標を生成する第２位置目標生成工程と、前記位置検出工程で検出された位置と前記第１制御位置目標とを比較し、その比較結果に応じた差分信号を第１差分信号として発生すると共に、前記位置検出工程で検出された位置と前記第２制御位置目標とを比較し、その比較結果に応じた差分信号を第２差分信号として発生する差分信号発生工程と、前記差分信号発生工程で発生された第１差分信号及び第２差分信号が０となるように前記移動手段を制御する制御工程とを備え、非撮像動作状態から撮像動作状態へ遷移したときは、前記制御工程は前記移動手段を制御して、前記第１差分信号が０となった後、前記差分信号発生工程で発生された前記第２差分信号が０となるように前記移動手段を制御することを特徴とする。
【手続補正５】
【補正対象書類名】明細書
【補正対象項目名】００１８
【補正方法】変更
【補正の内容】
【００１８】
請求項１０の撮像装置の制御用プログラムは、アイリスと、前記アイリスの位置を移動させる移動手段とを備える撮像装置で実行される制御用プログラムにおいて、前記アイリスの位置を検出する位置検出ステップと、予め定められた初期位置を前記アイリスの第１制御位置目標として生成する第１位置目標生成ステップと、撮像信号から前記アイリスの第２制御位置目標を生成する第２位置目標生成ステップと、前記位置検出ステップで検出された位置と前記第１制御位置目標とを比較し、その比較結果に応じた差分信号を第１差分信号として発生すると共に、前記位置検出ステップで検出された位置と前記第２制御位置目標とを比較し、その比較結果に応じた差分信号を第２差分信号として発生する差分信号発生ステップと、前記差分信号発生ステップで発生された第１差分信号及び第２差分信号が０となるように前記移動手段を制御する制御ステップとを前記撮像装置に実行させ、非撮像動作状態から撮像動作状態へ遷移したときは、前記制御ステップでは前記移動手段を制御して、前記第１差分信号が０となった後、前記差分信号発生ステップで発生された前記第２差分信号が０となるように前記移動手段を制御することを特徴とする。
【手続補正６】
【補正対象書類名】明細書
【補正対象項目名】００１９
【補正方法】変更
【補正の内容】
【００１９】
本発明によれば、予め定められた所定の初期位置がアイリスの第１制御位置目標として生成されると共に、撮像信号からアイリスの第２制御位置目標が生成され、位置検出手段により検出された位置と第１制御位置目標とが比較され、その比較結果に応じた差分信号が第１差分信号として発生されると共に、位置検出手段により検出された位置と第２制御位置目標とが比較し、その比較結果に応じた差分信号が第２差分信号として発生され、発生された第１差分信号及び第２差分信号が０となるように移動手段が制御される。そして、撮像装置が非撮像動作状態から撮像動作状態へ遷移したときは、移動手段が制御され、第１差分信号が０となった後、発生された第２差分信号が０となるように移動手段が制御されるので、撮像装置が非撮像動作状態から撮像動作状態へ遷移したときは、撮像信号によらず、まずアイリスが所定の初期位置に移動されて、その移動が完了した後に、第２差分信号が０となるようなアイリスの移動、即ち、通常の露出制御が実行されるので、速やかに撮影環境に適した露出制御設定にすることができる。